(57)【要約】【課題】汚染された空気を外部へ排出せず、扉を設けずとも寒さや暑さの影響を受けず、接触汚染が生じないようにする。【解決手段】出入り口２を有するブース部１ａと、シャワーユニット収納部１ｂ内に収納されたシャワーユニット３を備えたエアシャワー装置であって、ブース部１ａのシャワーユニット３を設けた側とは反対側の端部のコーナ部には、所定の曲率半径の円弧状部が形成されており、シャワーユニット３は、送風ファン６と、送風ファン６からの空気を清浄化するためのＨＥＰＡフィルタ８と、ＨＥＰＡフィルタ８で清浄化された空気の一部をブース部１ａの内部に吹込むシャワーノズル１０と、ＨＥＰＡフィルタ８で清浄化された空気の一部をブース部１の内壁面に沿うよう吹込むスリットと、ブース部１ａ内からの空気をシャワーユニット３内に戻すためのパンチングメタルを備える。【選択図】図２
2008185265.tif 000002
【特許請求の範囲】
【請求項１】
出入り口を有するブース部と、シャワーユニット収納部に収納されたシャワーユニットを備えたエアシャワー装置において、
ブース部のシャワーユニットを設けた側とは反対側の端部のコーナ部には、所定の曲率半径の円弧状部が形成されており、
シャワーユニットは、
送風手段と、該送風手段からの空気を清浄化するための空気清浄化手段と、該空気清浄化手段で清浄化された空気をブース部内に吹込む第一の空気吹込み手段と、前記空気清浄化手段で清浄化された空気の一部をブース部の内壁面に沿うよう吹込む第二の空気吹込み手段と、ブース部内からの空気を前記シャワーユニット内に取込むための空気取込み手段を備え、
第二の空気吹込み手段からブース部内に吹込まれた空気は、
ブース部の内壁面に沿い流れて出入り口にエアカーテンを形成したうえ空気取込み手段からシャワーユニット内に戻されると共に、前記第一の空気吹込み手段からブース部内に吹込まれた空気を包み込むよう構成したことを特徴とするエアシャワー装置。
【請求項２】
空気の一部をシャワーユニットからシャワーユニット収納部の外部へ排出するための手段を設けた請求項１記載のエアシャワー装置。
【請求項３】
シャワーユニットは、床面に接触して転動可能な車輪を備えると共に、シャワーユニット収納部に対し着脱可能に構成されている請求項１又は２記載のエアシャワー装置。
【請求項４】
ブース部には、人が入ったことを感知する人感知手段を備えた請求項１乃至３の何れかに記載のエアシャワー装置。
【請求項５】
人感知手段は、熱線センサ或は光電センサを備えたセンサ、又は圧電素子センサを備えたフートスイッチである請求項４に記載のエアシャワー装置。 
【発明の詳細な説明】
【技術分野】
【０００１】
本発明は、人の身体や衣服等に付着した花粉、塵埃等の微粒子状物質を空気を用い効果的に除去し得るようにしたエアシャワー装置に関するものである。
【背景技術】
【０００２】
人間の屋外、屋内での活動により、身体や衣服、持ち物には目に見えないが、花粉、塵埃等の微粒子状物質が付着する。このため、病院、研究所、ホテル等の公共建造物に入る場合には、微粒子状物質を除去するためにエアシャワー装置が使用されるケースが増加している。
【０００３】
而して、従来のエアシャワー装置としては、特許文献１がある。この特許文献１のエアシャワー装置では、建物に近接して設けた扉のない空間に、エアシャワー装置として、送風ファンやフィルタを設けている。
【０００４】
又、屋内に設置するエアシャワー装置としては、図８に示す装置がある。このエアシャワー装置は、電話ボックス型のケーシングａに開閉可能な扉ｂを備えており、ケーシングａ内の仕切り板ｃには、複数のシャワーノズルｄを備え且つ、図示してないが、仕切り板ｃの後面には、送風ファンやフィルタが設置されている。
【特許文献１】特開２００６−１９４４６８号公報
【０００５】
なお、エアシャワー装置の先行技術文献としては、前記の公報の他に、特開２０００−１８９９１５公報、実用新案登録第３１２４４２７公報等がある。
【発明の開示】
【発明が解決しようとする課題】
【０００６】
特許文献１に示すエアシャワー装置では、扉のない空間に人が入ると、吸気口から導入されて送風ファンに吸入された空気は、送風ファンにより送給されてフィルタを通過し、図示してない排気口から人のいる空間に送給され、この空気により人の身体、衣類等に付着した花粉、塵埃等の微粒子状物質が除去される。シャワーに供せられた後の空気は微粒子状物質を同伴して空間の外部に排気される。
【０００７】
図８に示すエアシャワー装置では、ドアを開けてケーシングａへ入った人が扉ｂを閉めると、図示してない吸気口から吸入された空気は、フィルタを通過して、図示してない排気口から人のいる空間に送給され、この空気により人の身体や衣類等に付着した花粉、塵埃等の微粒子状物質が除去される。エアシャワーに供せられた後の空気は微粒子状物質を同伴してケーシングａ内に形成された図示してない流路を循環してフィルタにより微粒子状物質を除去され、再び、エアシャワーに供せられる。
【０００８】
しかしながら、特許文献１のエアシャワー装置では、人が出入りする部分に扉がないため、エアシャワー後の空気は外部へ排出され、微粒子状物質は外部へ撒き散らされる。
【０００９】
又、図８に示すエアシャワー装置の場合は、扉ｂがあるうえ、空気はケーシングａ内で循環させているため、エアシャワー後の空気が外部へ排出されず、微粒子状物質がケーシングａの外部へ飛散されるのを防止することはできるが、扉ｂがあるため、人はケーシングａ内の狭い空間に閉じ込められたような閉塞感があり、又、エアシャワー終了後にケーシングａ外へ出るために扉ｂのノブに触れると、菌等の汚染物質に接触汚染する虞がある。
【００１０】
本発明は、斯かる実情に鑑み、エアシャワー後の汚染された空気が外部へ排出されず且つ閉塞感もなく、しかも寒さや暑さの影響を受けず、更には、扉のノブ等に対する接触汚染を防止し得るようにしたエアシャワー装置を提供することを目的としてなしたものである。
【課題を解決するための手段】
【００１１】
請求項１のエアシャワー装置は、
出入り口を有するブース部と、シャワーユニット収納部に収納されたシャワーユニットを備えたエアシャワー装置において、
ブース部のシャワーユニットを設けた側とは反対側の端部のコーナ部には、所定の曲率半径の円弧状部が形成されており、
シャワーユニットは、
送風手段と、該送風手段からの空気を清浄化するための空気清浄化手段と、該空気清浄化手段で清浄化された空気をブース部内に吹込む第一の空気吹込み手段と、前記空気清浄化手段で清浄化された空気の一部をブース部の内壁面に沿うよう吹込む第二の空気吹込み手段と、ブース部内からの空気を前記シャワーユニット内に取込むための空気取込み手段を備え、
第二の空気吹込み手段からブース部内に吹込まれた空気は、
ブース部の内壁面に沿い流れて出入り口にエアカーテンを形成したうえ空気取込み手段からシャワーユニット内に戻されると共に、前記第一の空気吹込み手段からブース部内に吹込まれた空気を包み込むよう構成したものである。
【００１２】
請求項２のエアシャワー装置は、空気の一部をシャワーユニットからシャワーユニット収納部の外部へ排出するための手段を備え、請求項３のエアシャワー装置においては、シャワーユニットは、床面に接触して転動可能な車輪を備えると共に、シャワーユニット収納部に対し着脱可能に構成されており、請求項４のエアシャワー装置では、ブース部には、人が入ったことを感知する人感知手段を備えており、請求項５のエアシャワー装置では、人感知手段は、熱線センサ或は光電センサを備えたセンサ、又は圧電素子センサを備えたフートスイッチである。
【発明の効果】
【００１３】
本発明の請求項１〜５に記載のエアシャワー装置によれば、以下のような種々の優れた効果を奏し得る。
Ｉ）第二のエア吹込み手段からブース部内に吹込まれた空気は、エアカーテンを構成すると共に、第一の空気吹込み手段から吹出された空気を包み込むため、微粒子状物質を同伴した空気が外部へ排出されることはない。
ＩＩ）空気清浄化手段により微粒子状物質を同伴した空気を完全に清浄化しているため、エアシャワー後の汚染された空気が外部へ排出されることがない。
ＩＩＩ）ブース部の出入り口は、空気によりエアカーテンが形成されるため、扉を設けずとも微粒子状物質が外部へ撒き散らされる虞がなく、且つ扉が不要であるためノブ等を設ける必要もなく、従って、ノブ等に接触することによる汚染が生じることもない。
ＩＶ）扉が不要であるため、ブース部内に入った人に閉塞感を与えることがない。
Ｖ）シャワーユニット収納部からの空気の一部を外部へ排出することにより、ブース部内部を陰圧に保持できるため、外部からブース部内へ外気が流入する結果、シャワーされた空気の外部への漏洩を更に確実に防止することができる。
ＶＩ）シャワーユニットは着脱自在で且つ車輪を有しているため、移動を簡単に行なうことができ、シャワーユニットの各機器の保守・点検を容易に行なうことができる。
ＶＩＩ）扉を設けなくてもブース部外部へ微粒子状物質が飛散する虞がない。
【発明を実施するための最良の形態】
【００１４】
以下、本発明の実施の形態を添付図面を参照して説明する。
図１〜図７は本発明を実施する形態の一例である。
図中、１はエアシャワー装置であって、エアシャワーのために人が入るブース部１ａと、後述の機器を備えたシャワーユニット３を収納し得るようにしたシャワーユニット収納部１ｂを備えている。ブース部１ａは、外部から透視できるよう透明な樹脂等の材料で形成され、シャワーユニット収納部１ｂは、不透明な樹脂や金属等の材料で形成されている。
【００１５】
ブース部１ａは三側面を備え、その一側面には、上部両端部を見栄えを良くするため円弧状に形成した出入り口２が形成されている。又、シャワーユニット収納部１ｂは、四側面と天井面を有すると共に、ブース部１ａの前後方向一端部に一体的に接続され、且つシャワーユニット収納部１ｂの天井面はブース部１ａの上面側に延在してブース部１ａの天井面をも形成している。
【００１６】
而して、ブース部１ａのシャワーユニット収納部１ｂ接続側と反対側の端部のコーナ部は、平面視で所定の曲率半径の円弧状に形成されている。円弧状部の内側の曲率半径Ｒは、ブース部１ａの内幅をＷとしたとき、Ｒ＝Ｗ／５〜Ｗ／２程度とする。
【００１７】
シャワーユニット収納部１ｂ内に収納されたシャワーユニット３は、下端に自在車輪４を備えて移動可能な枠体５を備えており、枠体５の内部空間は仕切り板により仕切られて、比較的狭い下部空間５ａ、下部空間５ａの上部に位置し下部空間５ａよりも上下方向の長さが長い上部空間５ｂ、下部空間５ａ及び上部空間５ｂよりもブース部１ａ側に位置する前部空間５ｃを有している。枠体５の下部空間５ａ内には送風ファン６が格納されていると共に、枠体５の下部空間５ａ側部には、上面に空気吸込み口７ａを有するプレフィルタ７が接続されている。プレフィルタ７を通過した空気は、枠体５の下部空間５ａに導入されて送風ファン６に吸い込まれるようになっている。
【００１８】
送風ファン６から送出された空気は、枠体５の上部空間５ｂ内に導入されるようになっていると共に、上部空間５ｂ内の前部空間５ｃに面した側には、ＨＥＰＡフィルタ８が設けられている。枠体５の前部空間５ｃをブース部１ａ側で区切る仕切り板９は、シャワーユニット収納部１ｂの内幅と略同じ幅及び高さに形成されており、シャワーユニット３をシャワーユニット収納部１ｂ内に収納した際には、仕切り板９をボルト・ナットにより、シャワーユニット収納部１ｂに対し固定し得るようになっている。すなわち、仕切り板９はシャワーユニット収納部１ｂの一部でもあり、シャワーユニット収納部１ｂとブース部１ａを仕切る機能も有している。
【００１９】
仕切り板９には、ＨＥＰＡフィルタ８で清浄化された空気を、ブース部１ａ内部に吹込み得るよう、上下に所要の間隔で複数のシャワーノズル１０が取付けられており、シャワーノズル１０からブース部１ａ内に吹込まれた空気は、人等をシャワーして、花粉、塵埃等の微粒子状物質を除去し得るようになっている。又、仕切り板９の所要位置には、熱線センサや光電センサのような人感知センサ１１が取付けられている。他の人感知センサ１８としては、ブース部１ａ内の床面に敷設した直径５００ｍｍ、厚さ５〜１０ｍｍ程度のゴム製のプレートに圧電素子センサを設けたフットスイッチであっても良い。
【００２０】
枠体５幅方向のプレフィルタ７を設けた側とは反対側の側面には、枠体５の前部空間５ｃ上部及び下部に接続されて枠体５から離反する方向へ水平に延在する導管１２が接続されており、導管１２には、人の足もとから頭部上方までの長さに相当する高さの縦型のヘッダ管１３が接続されている。又、ヘッダ管１３の仕切り板９に面した側及び仕切り板９には、略全高に亘りスリット１４が形成されており、スリット１４からブース部１ａ内に吹込まれた空気は、ブース部１ａの内側面に沿い流れて、ブース部１ａの出入り口２にエアカーテンを形成し得るようになっている。
【００２１】
仕切り板９幅方向のプレフィルタ７を設けた側には、ブース部１ａからの空気をシャワーユニット収納部１ｂ内へ導入し得るよう、所定幅で、高さは人の足もとから頭部上方までの長さに相当する貫通孔が設けられており、該貫通孔には、パンチングメタル１５が取付けてある。しかして、ブース部１ａ内を流れたシャワー用の空気及びエアカーテン用の空気は、パンチングメタル１５の孔を通って、ブース部１ａからシャワーユニット収納部１ｂ内へ導入し得るようになっている。
【００２２】
図６、図７に示すように、ヘッダ管１３の導管１２接続側とは反対側の側部、すなわち、幅方向外側側部には、空気の一部を外部へ排気する排気管１６が設けられていると共に、シャワーユニット収納部１ｂのブース部１ａ側端部近傍内壁面には、上下に延在する取付け部材１７が固着され、シャワーユニット３の枠体５、送風ファン６、導管１２、ヘッダ管１３、排気管１６、シャワーノズル１０及びパンチングメタル１５を取付けた状態の仕切り板９を一体的に、取付け部材１７に対し着脱し得るようになっている。図中、１９は空気流量を調整するダンパである。
【００２３】
次に、上記した実施の形態の作動を説明する。
エアシャワーを浴びる人Ｐは、シャワーユニット３におけるブース部１ａの出入り口２からブース部１ａ内に入る。そうすると、人感知センサ１１又は１８は人Ｐがブース部１ａ内にいることを感知して、送風ファン６が駆動される。送風ファン６が駆動されると、空気は送風ファン６で加圧され吐出されて枠体５の上部空間５ｂへ送給され、ＨＥＰＡフィルタ８を通って清浄化されたうえ、枠体５の前部空間５ｃへ導入され、一部の空気は上部空間５ｂから導管１２を経てヘッダ管１３へ送給され、ヘッダ管１３からスリット１４を通り、ブース部１ａの内壁近傍へ送出され、ブース部１ａ内壁部に沿い流れて、出入り口２においてエアカーテンを形成し、円弧状部から先端部、円弧状部と内周壁に沿い円滑に流れてパンチングメタル１５の孔からシャワーユニット収納部１ｂ内へ導入される。
【００２４】
一方、上部空間５ｂの残りの空気は、シャワーノズル１０からブース部１ａ内へジェット気流として吹出されて、ブース部１ａにいる人Ｐにシャワーされる。このため、人の衣服等に付着していた花粉、塵埃等の微粒子状物質が除去されて、空気に同伴され、ブース部１ａ内を流れてパンチングメタル１５の孔からシャワーユニット収納部１ｂ内へ導入される。
【００２５】
シャワーユニット収納部１ｂ内へ導入されたエアカーテンを構成した空気及びエアシャワーに供されて微粒子状物質を同伴した空気は、一緒にプレフィルタ７へ導入され、プレフィルタ７で比較的大きな異物を除去されて送風ファン６により吸引され、送風ファン６により加圧されて吐出され、前記した径路で再び、エアカーテン或はシャワーに供される。
【００２６】
シャワーユニット３の各機器を保守・点検する場合には、ブース部１ａ内に入った作業員は、仕切り板９を取付け部材１７に対し締結しているボルト（図示せず）を除去して、シャワーユニット３を図７に示すように移動させたうえ作業を行なう。
【００２７】
本図示例によれば、ブース部１ａ内周壁に沿い流れてエアカーテンを構成する空気は、シャワーノズル１０からブース部１ａ内に吹込まれた空気を包み込むため、エアシャワーにより微粒子状物質を同伴した空気が外部へ排出されることはない。
【００２８】
又、本図示例では、空気を循環させてプレフィルタ７により比較的大きな異物を除去し、ＨＥＰＡフィルタ８により完全に清浄化しているため、エアシャワー後の汚染された空気が外部へ排出されず、又、空気によりエアカーテンを形成しているため扉を設けずとも寒さや暑さの影響を受けず、扉が不要であるためブース部１ａ内の人に閉塞感を与えることがなく、更には、扉のノブ等もないため、ノブ等に接触することによる汚染が生じることもない。
【００２９】
更に又、ヘッダ管１３の空気の一部を外部へ排出することにより、ブース部１ａ内のエアカーテンにより包み込まれる空間部を陰圧に保持できるため、外部からブース部１ａ内へ外気が流入する結果、シャワーされた空気の外部への漏洩を更に確実に防止することができる。
更に又、シャワーユニット３の各機器の保守・点検も容易に行なうことができる。
【００３０】
なお、本発明のエアシャワー装置は、上記した実施の形態に限定されるものではなく、本発明の要旨を逸脱しない範囲内において種々変更を加え得ることは勿論である。
【図面の簡単な説明】
【００３１】
【図１】本発明のエアシャワー装置の実施の形態の一例を示す全体斜視図である。
【図２】図１に示すエアシャワー装置の側面図である。
【図３】図２のＩＩＩ−ＩＩＩ方向矢視図である。
【図４】図２のＩＶ−ＩＶ方向矢視図である。
【図５】図２のＶ−Ｖ方向矢視図である。
【図６】本発明のエアシャワー装置の拡大平断面図である。
【図７】シャワーユニットの各機器を保守・点検する際のシャワーユニットの状態を示す平面図である。
【図８】従来のエアシャワー装置の一例の平面図である。
【符号の説明】
【００３２】
１  エアシャワー装置
１ａ        ブース部
１ｂ        シャワーユニット収納部
３  シャワーユニット
４  自在車輪（車輪）
６  送風ファン（送風手段）
８  ＨＥＰＡフィルタ（空気清浄化手段）
１０  シャワーノズル（第一の空気吹込み手段）
１１  人感知センサ（人感知手段）
１４  スリット（第二の空気吹込み手段）
１５  パンチングメタル（空気取込み手段）
１６  排気管（外部へ排出するための手段）
１８  人感知センサ（人感知手段）
Ｒ  曲率半径
【図１】
2008185265.tif 000003
【図２】
2008185265.tif 000004
【図３】
2008185265.tif 000005
【図４】
2008185265.tif 000006
【図５】
2008185265.tif 000007
【図６】
2008185265.tif 000008
【図７】
2008185265.tif 000009
【図８】
2008185265.tif 000010